(57)【要約】【課題】前後の脚用弾性部材による収縮力と帯状シート部を起立させるための起立用弾性部材による収縮力とを適度に作用させることができ、着用者の股部等への締め付けを緩和するとともに、着用作業を容易に行える使い捨て吸収性物品を提供する。【解決手段】前側脚用弾性部材１８及び後側脚用弾性部材１９が股下領域８ａを避けるようにして付与され、使い捨て吸収性物品１が略平面状に展開された状態で、起立用弾性部材３７，３８の前側端部３７ａ，３８ａは、前側脚用弾性部材１８の最も後側に位置する部分１８ａよりも後側に位置され、起立用弾性部材３７，３８の後側端部３７ｂ，３８ｂは、後側脚用弾性部材１９の最も前側に位置する部分１９ａよりも前側に位置され、前後の脚用弾性部材１８，１９の付与範囲と起立用弾性部材３７，３８の付与範囲とが吸収性物品１の縦方向Ｙに対して重複しない構成となっている。【選択図】図１
2008229187.tif 000002
【特許請求の範囲】
【請求項１】
外装材と、
前記外装材の肌面側に付与され、吸収体を有する吸収部材と、
前記外装材の前側において左右の一方の脚周り部から前記外装材の横方向の中央部を通過して左右の他方の脚周り部にかけて伸張された状態で付与された前側脚用弾性部材と、
前記外装材の後側において左右の一方の脚周り部から前記外装材の横方向の中央部を通過して左右の他方の脚周り部にかけて伸張された状態で付与された後側脚用弾性部材と、
前記吸収部材又は前記外装材の肌側に略縦方向に沿って設けられ、前記吸収部材に対して近接及び離反可能な自由端部を有する左右一対の帯状シート部と、
前記両帯状シート部の前記自由端部又は前記自由端部の近傍に伸張された状態で付与され、前記自由端部を起立させる起立用弾性部材と、
を備え、
当該使い捨て吸収性物品が略平面状に展開された状態で、前記起立用弾性部材の前側端部は、前記前側脚用弾性部材の最も後側に位置する部分よりも後側に位置し、前記起立用弾性部材の後側端部は、前記後側脚用弾性部材の最も前側に位置する部分よりも前側に位置することを特徴とする使い捨て吸収性物品。
【請求項２】
請求項１に記載の使い捨て吸収性物品において、
前記前側脚用弾性部材は前記外装材の股下に位置する股下領域よりも前側に付与され、前記後側脚用弾性部材は前記外装材の前記股下領域よりも後側に付与され、
前記起立用弾性部材は、前記外装材の前記股下領域内に位置するように付与されていることを特徴とする使い捨て吸収性物品。
【請求項３】
請求項１又は請求項２に記載の使い捨て吸収性物品において、
前記前側脚用弾性部材は、当該使い捨て吸収性物品が略平面状に展開された状態で、前記外装材の左右の脚穴の前側内縁部を通過するように、横方向に沿って略直線状に付与されていることを特徴とする使い捨て吸収性物品。
【請求項４】
請求項３に記載の使い捨て吸収性物品において、
前記後側脚用弾性部材の左端側部分及び右端側部分は、左右の脚穴の内縁部に沿って曲線状に付与されていることを特徴とする使い捨て吸収性物品。
【請求項５】
請求項１ないし請求項４のいずれかに記載の使い捨て吸収性物品において、
前記前側脚用弾性部材及び前記後側脚用弾性部材の前記吸収体と重複する部分の少なくとも一部は、切断されて弱化されていることを特徴とする使い捨て吸収性物品。
【発明の詳細な説明】
【技術分野】
【０００１】
本発明は、使い捨て吸収性物品に関する。
【背景技術】
【０００２】
従来の使い捨て吸収性物品として、外装材の脚周り等に前側及び後側の脚用弾性部材を設けるとともに、吸収性物品の肌面側に起立変位可能な帯状シート部を設けたものがある（特許文献１）。なお、帯状シート部は、その自由端側に設けられた起立用弾性部材の収縮力によって着用者の肌面に向けて立ち上がるようになっている。
【０００３】
この種の使い捨て吸収性物品では、吸収性物品を略平面状に展開させた状態で、前後の脚用弾性部材の付与範囲と、帯状シート部を起立させるための起立用弾性部材の付与範囲とが吸収性物品の縦方向（前後方向）に対して重複するようになっている。
【特許文献１】特開２００３−２６５５２９号公報
【発明の開示】
【発明が解決しようとする課題】
【０００４】
上記のように、従来の使い捨て吸収性物品では、前後の脚用弾性部材の付与範囲と起立用弾性部材の付与範囲とが吸収性物品の縦方向（前後方向）に対して重複しているため、着用されたときに前後の脚用弾性部材による収縮力と起立用弾性部材による収縮力とが、その重複部分において２重に作用することとなる。このため、着用者の股部等に対して過度の締め付け力が作用し、着用者が締め付け感等の不快感を覚える場合がある。
【０００５】
また、この従来の構成では、着用者が脚の運動をするにつれて、前後の脚用弾性部材と起立用弾性部材とがねじれてしまうおそれがあり、そのような場合には、前後の脚用弾性部材と起立用弾性部材とによる締め付けがさらに強くなる。
【０００６】
また、使い捨て吸収性物品がパンツ型であるとした場合、この従来の構成では、前後の脚用弾性部材及び起立用弾性部材による収縮力がそれらの重複部分に２重に作用するため、着用する際に吸収性物品の脚周り等を大きく広げながら脚を挿入しなかければならず、着用しにくい。
【０００７】
そこで、本発明の解決すべき課題は、前後の脚用弾性部材による収縮力と帯状シート部を起立させるための起立用弾性部材による収縮力とを適度に作用させることができ、着用者の股部等への締め付けを緩和するとともに、着用作業を容易に行える使い捨て吸収性物品を提供することである。
【課題を解決するための手段】
【０００８】
上記の課題を解決するため、請求項１の発明では、外装材と、前記外装材の肌面側に付与され、吸収体を有する吸収部材と、前記外装材の前側において左右の一方の脚周り部から前記外装材の横方向の中央部を通過して左右の他方の脚周り部にかけて伸張された状態で付与された前側脚用弾性部材と、前記外装材の後側において左右の一方の脚周り部から前記外装材の横方向の中央部を通過して左右の他方の脚周り部にかけて伸張された状態で付与された後側脚用弾性部材と、前記吸収部材又は前記外装材の肌側に略縦方向に沿って設けられ、前記吸収部材に対して近接及び離反可能な自由端部を有する左右一対の帯状シート部と、前記両帯状シート部の前記自由端部又は前記自由端部の近傍に伸張された状態で付与され、前記自由端部を起立させる起立用弾性部材とを備え、当該使い捨て吸収性物品が略平面状に展開された状態で、前記起立用弾性部材の前側端部は、前記前側脚用弾性部材の最も後側に位置する部分よりも後側に位置し、前記起立用弾性部材の後側端部は、前記後側脚用弾性部材の最も前側に位置する部分よりも前側に位置する。
【０００９】
また、請求項２の発明では、請求項１の発明に係る使い捨て吸収性物品において、前記前側脚用弾性部材は前記外装材の股下に位置する股下領域よりも前側に付与され、前記後側脚用弾性部材は前記外装材の前記股下領域よりも後側に付与され、前記起立用弾性部材は、前記外装材の前記股下領域内に位置するように付与されている。
【００１０】
また、請求項３の発明では、請求項１又は請求項２の発明に係る使い捨て吸収性物品において、前記前側脚用弾性部材は、当該使い捨て吸収性物品が略平面状に展開された状態で、前記外装材の左右の脚穴の前側内縁部を通過するように、横方向に沿って略直線状に付与されている。
【００１１】
また、請求項４の発明では、請求項３の発明に係る使い捨て吸収性物品において、前記後側脚用弾性部材の左端側部分及び右端側部分は、左右の脚穴の内縁部に沿って曲線状に付与されている。
【００１２】
また、請求項５の発明では、請求項１ないし請求項４のいずれかの発明に係る使い捨て吸収性物品において、前記前側脚用弾性部材及び前記後側脚用弾性部材の前記吸収体と重複する部分の少なくとも一部は、切断されて弱化されている。
【発明の効果】
【００１３】
請求項１に記載の発明によれば、使い捨て吸収性物品が略平面状に展開された状態で、帯状シート部を起立させるための起立用弾性部材の前側端部が、前側脚用弾性部材の最も後側に位置する部分よりも後側に位置し、起立用弾性部材の後側端部が、後側脚用弾性部材の最も前側に位置する部分よりも前側に位置している。すなわち、前後の脚用弾性部材の付与範囲と起立用弾性部材の付与範囲とが吸収性物品の縦方向（前後方向）に対して重複しない構成となっている。このため、従来のように着用されたときに前後の脚用弾性部材による収縮力と起立用弾性部材による収縮力とが２重に作用し、着用者の股部等に過度の締め付けを与えるのを有効に防止できる。また、従来のように着用後の運動等により前後の脚用弾性部材と起立用弾性部材とにねじれ等が生じることもない。その結果、前後の脚用弾性部材による収縮力と帯状シート部を起立させるための起立用弾性部材による収縮力とを適度に作用させることができ、着用者の股部等への締め付けを緩和するとともに、着用作業も容易となる。
【００１４】
請求項２に記載の発明によれば、股下領域を避けて前後の脚用弾性部材が設けられるため、着用前の吸収性物品の股下部の収縮状態を緩和することができる。それ故、着用する際に吸収性物品の股下部を大きく広げる必要がなく、吸収性物品を容易に着用することができる。この点は、この使い捨て吸収性物品がパンツ型である場合に特に有効である。
【００１５】
請求項３に記載の発明によれば、前側脚用弾性部材は、使い捨て吸収性物品が略平面状に展開された状態で、外装材の左右の脚穴の前側内縁部を通過するように、横方向に沿って略直線状に付与されている。それ故、脚周り部の前側部分における締め付け力を抑制し、そけい部への食い込みを有効に防止できる。
【００１６】
また、前側脚用弾性部材を略直線状に配設するため、蛇行状に配設する場合に比して製造工程の簡略可が図れる。
【００１７】
請求項４に記載の発明によれば、後側脚用弾性部材の左端側部分及び右端側部分は、左右の脚穴の内縁部に沿って曲線状に付与されているため、着用者が仰向けで横になっている場合等に、後側の脚周り部等から尿等の排泄物が漏れるのを有効に防止できる。
【００１８】
請求項５に記載の発明によれば、前側脚用弾性部材及び後側脚用弾性部材の吸収体と重複する部分の少なくとも一部が切断されて弱化されているため、前後の脚用弾性部材の締め付けが強すぎて着用感が損なわれたり、前後の脚用弾性部材の収縮により吸収部材の吸収体によじれが生じる等の不都合を回避できる。
【発明を実施するための最良の形態】
【００１９】
［第１実施形態］
図１は本発明の第１実施形態に係る使い捨て吸収性物品（以下、単に「吸収性物品」という）を、左右のサイド接合部を切離して略平面状に展開したときの平面図であり、図２は図１のＡ−Ａ線に沿った断面構造を模式的に示す図であり、図３は図１のＢ−Ｂ線に沿った断面構造を模式的に示す図であり、図４は図１の吸収性物品の展開される前の状態を示す斜視図である。なお、本明細書において前後左右というときは着用者を基準としており、例えば、その着用者の左手側を左、右手側を右と呼んでいる。また、吸収性物品１の縦方向Ｙ（図１参照）とは吸収性物品１の上下又は前後方向に対応した方向をいい、吸収性物品１の横方向Ｘ（図１参照）とは吸収性物品１の左右方向に対応した方向をいう。
【００２０】
この吸収性物品１は、図１ないし図４に示すように、この吸収性物品１の外側に設けられる外装材２と、外装材２の肌面側に接合される吸収部材３とを備えている。
【００２１】
外装材２は、着用者の前腹部、後背部及び股部にそれぞれあてがわれる前部６、後部７及び股部８を備えている。なお、ここでは外装材２が前部６、後部７及び股部８に渡って一体に構成された例について示したが、外装材２が前側の部分と後側の部分とが股部で分断されて別々の部材として構成されていてもよい。
【００２２】
外装材２の前部６の左右の縁部６ａと後部７の左右の縁部７ａとは、互いに向き合った状態で所定の接合手段により接合され、これによって左右のサイド接合部９が形成されている。このため、この吸収性物品１は、ウエスト用開口部１１と、左右の脚用開口部１２Ｌ，１２Ｒを有するパンツ型の構成を有している。サイド接合部９の接合手段としては、超音波溶着、加熱溶着、接着剤（例えば、ホットメルト接着剤）による接着等のいずれか一つ又はそれの複数の組み合わせ等により行われる。
【００２３】
吸収部材３は、外装材２のほぼ股部８に対応する部分の肌面側に、ホットメルト接着剤等の接合手段を用いて接合されている。また、本実施形態では、外装材２の前部６及び後部７の肌面側には、吸収部材３の前後の端縁部を肌面側から覆うようにして押さえシート１３，１４が貼着されている。
【００２４】
外装材２の前部６の上縁部には、その上縁部に沿ってウエスト用弾性部材１６が伸張された状態で付与されている。また、外装材２の後部７の上縁部には、その上縁部に沿ってウエスト用弾性部材１７が伸張された状態で付与されている。
【００２５】
また、外装材２の前側において左右の一方の脚周り部２ａから外装材２の横方向Ｘの中央部を通過して左右の他方の脚周り部２ｂにかけて、前側脚用弾性部材１８が伸張された状態で付与されている。また、外装材２の後側において左右の一方の脚周り部２ａから外装材２の横方向Ｘの中央部を通過して左右の他方の脚周り部２ｂにかけて、後側脚用弾性部材１９が伸張された状態で付与されている。これらの脚用弾性部材１８，１９の左端側部分及び右端側部分は、左右の脚用開口部１２Ｌ，１２Ｒの内縁部に沿って曲線状に付与されている。
【００２６】
このような脚用弾性部材１８，１９は、左右の一方の脚周り部２ａから外装材２の横方向Ｘの中央部を通過して左右の他方の脚周り部２ｂにかけて連続的に付与された後、弾性部材１８，１９の後述する吸収体３１と重複する部分の少なくとも一部（例えば、重複する部分のほぼ全区間）について、短く切断して弱化させる弱化処理が施されている。これによって、弾性部材１８，１９の締め付けが強すぎて着用感が損なわれたり、弾性部材１８，１９の収縮により吸収体３１によじれが生じる等の不都合を回避できる。本実施形態では、図１に示すように脚用弾性部材１８，１９の吸収体３１とほぼ重複する区間Ｓ１，Ｓ２に対して、弱化処理が施されている。
【００２７】
また、この前側及び後側脚用弾性部材１８，１９の付与形態について、本実施形態では、図１等に示すように、前側脚用弾性部材１８は股下領域８ａよりも前側に設けられ、後側脚用弾性部材１９は股下領域８ａよりも後側に付与されている。すなわち、前後の脚用弾性部材１８，１９が股下領域８ａを避けるようにして付与されている。これによって、着用前の吸収性物品１の股下部の収縮状態を緩和することができ、着用する際に吸収性物品１の股下部を大きく広げなくとも、脚用開口部１２Ｌ，１２Ｒに楽に脚を通すことができ、吸収性物品１を容易に着用することができる。
【００２８】
また、外装材２の前部６の左右の着用者の胴周りに位置する部分（前部６の縦方向Ｙの中間部）には、横方向Ｘに沿ってボディ用弾性部材２０が伸張された状態で付与されている。また、その後部７における着用者の胴周りに位置する部分（後部７の縦方向Ｙの中間部）には、横方向Ｘに沿ってボディ用弾性部材２１が伸張された状態で付与されている。
【００２９】
これらの弾性部材１６〜２１は、１又は複数（例えば、複数）の弾性材により構成されている。
【００３０】
外装材２は、不織布からなる２枚のシート材２６,２７（図３参照）の間に、弾性部材１６〜２１を挟み込んで構成されている。シート材２６，２７同士の接合及び弾性部材１６〜２１のシート材２６，２７への接合は、接着剤（例えば、ホットメルト接着剤）、熱溶着、超音波溶着等の接合手段を用いて行われる。また、本実施形態ではシート材２６，２７の少なくともいずれか一方は撥水性のものを使用しているが、両シート材２６，２７ともに親水性ものを使用してもよい。
【００３１】
吸収部材３は、図３に示すように、着用者の排泄物を吸収する吸収体３１が備えられた本体部３２と、その本体部３２に設けられた左右の帯状シート部３３とを備えて構成されている。本体部３２は、吸収体３１を撥水性又は不透液性のバックシート３４と透液性のトップシート３５とによって挟み込んで構成されている。
【００３２】
帯状シート部３３は、略縦方向Ｙに沿って設けられ、本体部３２に対して近接及び離反可能な自由端部３３ａを有している。その自由端部３３ａ又はその近傍には、１又は複数（例えば、２つ）の起立用弾性部材３７，３８が略縦方向Ｙに沿って伸張された状態で付与されており、この起立用弾性部材３７，３８の収縮力によって、帯状シート部３３の自由端部３３ａが着用者の肌面側に立ち上がり、肌面にフィットするようになっている。
【００３３】
この起立用弾性部材３７，３８の付与形態について、本実施形態では、吸収性物品１が略平面状に展開された状態で、起立用弾性部材３７，３８の前側端部３７ａ，３８ａは、前側脚用弾性部材１８の最も後側に位置する部分１８ａよりも後側に位置されている。また、起立用弾性部材３７，３８の後側端部３７ｂ，３８ｂは、後側脚用弾性部材１９の最も前側に位置する部分１９ａよりも前側に位置されている。より詳細には、本実施形態では、起立用弾性部材３７，３８が股下領域８ａ内に収まるようにして付与されている。
【００３４】
したがって、前後の脚用弾性部材１８，１９の付与範囲と起立用弾性部材３８，３８の付与範囲とが吸収性物品１の縦方向Ｙ（前後方向）に対して重複しない構成となっている。このため、従来のように着用されたときに前後の脚用弾性部材１８，１９による収縮力と起立用弾性部材３７，３８による収縮力とが２重に作用し、着用者の股部等に過度の締め付けを与えるのを有効に防止できるようになっている。
【００３５】
また、左右の帯状シート部３３の基端部３３ｂ又はその近傍には、補助として補助弾性部材３９が略縦方向Ｙに沿って伸張された状態で付与されている。これによって、吸収性物品１が着用されたときに補助弾性部材３９の収縮力により吸収部材３の補助弾性部材３９に沿った部分が肌面側に持ち上げられ、その結果、尿等の排泄物の横漏れ等が防止されるようになっている。なお、本実施形態では、補助弾性部材３９を股部８のほぼ全長に渡って設けているが、股部８の一部の区間にのみ設けるようにしてもよい。また、この補助弾性部材３９は必須のものではなく、省略可能である。
【００３６】
なお、本実施形態に係る吸収性物品１に用いられる不織布としては、スパンボンド不織布、メルトブロー不織布、ＳＭＳ不織布等の一般的な素材が用いられる。また、弾性部材１６〜２１，３７〜３９についても、ポリウレタン糸、帯状のポリウレタンフィルム、天然ゴム等の一般的な素材が用いられる。
【００３７】
以上のように、本実施形態によれば、前後の脚用弾性部材１８，１９の付与範囲と起立用弾性部材３７，３８の付与範囲とが吸収性物品の縦方向Ｙ（前後方向）に対して重複しない構成となっている。このため、従来のように着用されたときに前後の脚用弾性部材３７，３８による収縮力と起立用弾性部材３７，３８による収縮力とが２重に作用し、着用者の股部等に過度の締め付けを与えるのを有効に防止できる。また、従来のように着用後の運動等により前後の脚用弾性部材１８，１９と起立用弾性部材３７，３８とにねじれ等が生じることもない。その結果、前後の脚用弾性部材１８，１９による収縮力と帯状シート部３３を起立させるための起立用弾性部材３７，３８による収縮力とを適度に作用させることができ、着用者の股部等への締め付けを緩和するとともに、着用作業も容易となる。
【００３８】
また、股下領域８ａを避けるようにして前後の脚用弾性部材１８，１９が付与されているため、着用前の吸収性物品１の股下部の収縮状態を緩和することができ、着用する際に吸収性物品１の股下部を大きく広げなくとも、脚用開口部１２Ｌ，１２Ｒに楽に脚を通すことができ、吸収性物品１を容易に着用することができる。
【００３９】
また、前後の脚用弾性部材１８，１９の吸収体３１とほぼ重複する区間Ｓ１，Ｓ２に対して弱化処理が施されているため、弾性部材１８，１９の締め付けが強すぎて着用感が損なわれたり、弾性部材１８，１９の収縮により吸収体３１によじれが生じる等の不都合を回避できる。
【００４０】
［第２実施形態］
図５は本発明の第２実施形態に係る吸収性物品を、左右のサイド接合部を切離して略平面状に展開したときの平面図であり、図６は図５の吸収性物品の展開される前の状態を示す斜視図である。本実施形態に係る吸収性物品１ａが上述の第１実施形態に係る吸収性物品１と実質的に異なる点は、前後の脚用弾性部材１８，１９及び起立用弾性部材３７，３８の付与形態のみであり、互いに対応する部分には同一の参照符号を伏して説明の重複を回避する。
【００４１】
本実施形態に係る吸収性物品１ａでは、図５及び図６に示すように、前側脚用弾性部材１８が、吸収性物品１が略平面状に展開された状態で、外装材２の左右の脚用開口部１２Ｌ，１２Ｒの前側内縁部４１，４２を通過するように、横方向Ｘに沿って略直線状に付与されている。また、後側脚用弾性部材１９における股部８の横方向Ｘの中央部を通過する部分（中央部）１９ａは、股下直下部８ｂ又はその近傍に張り出すように付与されるとともに、その左端側部分１９ｂ及び右端側部分１９ｃは、左右の脚用開口部１２Ｌ，１２Ｒの内縁部におけるほぼ股下直下部８ｂから後ろ側の部分の区間に沿って曲線状に付与されている。
【００４２】
帯状シート部３３を起立させるための起立用弾性部材３７，３８については、その付与範囲が縦方向Ｙ（前後方向）について前後の脚用弾性部材１８，１９の付与範囲と重複しないように設定されている。より具体的には、起立用弾性部材３７，３８の前側端部３７ａ，３８ａは前側脚用弾性部材１８の後側近傍（例えば、股部８のほぼ前端部）に位置され、後側端部３７ｂ，３８ｂは後側脚用弾性部材１９の中央部１９ａの前側近傍（例えば、股下直下部８ｂ又はその近傍）に位置されている。
【００４３】
なお、本実施形態においても、前後の脚用弾性部材１８，１９の吸収体３１と重複する部分（例えば、区間Ｓ１，Ｓ２）については、少なくとも一部において上述の弱化処理が施されている。
【００４４】
以上のように、本実施形態においても、第１実施形態との構成の相違に関連する効果を除いて、第１実施形態とほぼ同様な効果が得られるとともに、その特有の構成より、次のような効果が得られる。
【００４５】
すなわち、本実施形態によれば、前側脚用弾性部材１８が、吸収性物品１が略平面状に展開された状態で、外装材２の左右の脚用開口部１２Ｌ，１２Ｒの前側内縁部４１，４２を通過するように、横方向Ｘに沿って略直線状に付与されているため、脚周り部２ａ，２ｂの前側部分における締め付け力を抑制し、そけい部への食い込みを有効に防止できる。
【００４６】
また、前側脚用弾性部材１８を略直線状に配設するため、蛇行状に配設する場合に比して製造工程の簡略可が図れる。
【００４７】
また、後側脚用弾性部材１９については、その中央部１９ａが股下直下部８ｂ又はその近傍に張り出すように付与されるとともに、その左端側部分１９ｂ及び右端側部分１９ｃが、左右の脚用開口部１２Ｌ，１２Ｒの内縁部におけるほぼ股下直下部８ｂから後ろ側の部分の区間に沿って曲線状に付与されているため、着用者が仰向けで横になっている場合等に、後側の脚周り部２ａ，２ｂ等から尿等の排泄物が漏れるのを有効に防止できる。
【００４８】
［変形例］
上述の第１及び第２実施形態では、帯状シート部３３を吸収部材３に付与するようにしたが、吸収部材３の左右の縁部を肌面側に折り曲げて帯状シート部３３とする構成であってもよい。あるいは、帯状シート部３３を吸収部材３ではなく外装材２（例えば、外装材２の吸収体３１の横方向Ｘ外方に位置する部分）の肌面側に付与する構成であってもよい。
【００４９】
また、上述の第１及び第２実施形態では、帯状シート部３３を吸収部材３の本体部３２の上面に接合する構成としたが、帯状シート部３３を本体部３２の外面側に接合してから肌面側に折り返す構成としてもよい。
【００５０】
また、上述の第１及び第２実施形態において、ボディ用弾性部材２０，２１についても省略可能である。
【００５１】
また、上述の第１及び第２実施形態に係る吸収性物品１，１ａはパンツ型のものであるが、上述の各実施形態に係る技術をテープ型の使い捨ておむつに適用してもよく、あるいはパンツ・テープ共用型の使い捨て吸収性物品に適用してもよい。なお、パンツ・テープ共用型の使い捨て吸収性物品とは、腰周りの部分を破断するための破断部と、破断後の再締結用の締結部材とを有し、破断部を破断しないときはパンツ型の構成となり、破断部を破断したときはテープ型の構成となるものをいう。
【図面の簡単な説明】
【００５２】
【図１】本発明の第１実施形態に係る使い捨て吸収性物品を、左右のサイド接合部を切離して略平面状に展開したときの平面図である。
【図２】図１のＡ−Ａ線に沿った断面構造を模式的に示す図である。
【図３】図１のＢ−Ｂ線に沿った断面構造を模式的に示す図である。
【図４】図１の使い捨て吸収性物品の展開される前の状態を示す斜視図である。
【図５】本発明の第２実施形態に係る使い捨て吸収性物品を、左右のサイド接合部を切離して略平面状に展開したときの平面図である。
【図６】図５の使い捨て吸収性物品の展開される前の状態を示す斜視図である。
【符号の説明】
【００５３】
１，１ａ  吸収性物品、２  外装材、２ａ，２ｂ  脚周り部、３  吸収部材、６  前部、７  後部、８  股部、８ａ  股下領域、８ｂ  股下直下部、９  サイド接合部、１１  ウエスト用開口部、１２Ｌ，１２Ｒ  脚用開口部、１６，１７  ウエスト用弾性部材、１８  前側脚用弾性部材、１９  後側脚用弾性部材、２０，２１  ボディ用弾性部材、２６，２７  シート材、３１  吸収体、３２  本体部、３３  帯状シート部、３３ａ  自由端部、３３ｂ  基端部、３４  バックシート、３５  トップシート、３７，３８  起立用弾性部材、３９  補助弾性部材。
【図１】
2008229187.tif 000003
【図２】
2008229187.tif 000004
【図３】
2008229187.tif 000005
【図４】
2008229187.tif 000006
【図５】
2008229187.tif 000007
【図６】
2008229187.tif 000008